(57)【要約】  移動通信網におけるパケットスイッチング（ＰＳ）ドメインで端末の位置登録方法及び装置を提供する。上記端末の位置登録方法は、上記移動通信網の移動性管理エンティティ（ＭＭＥ）に上記端末の位置登録を要請する要請メッセージを送信するステップと、複数のパケット基盤移動交換局（ｅＭＳＣ）の中で上記ＭＭＥに接続されたｅＭＳＣを示すｅＭＳＣ指示子を含む応答メッセージを上記ＭＭＥから受信するステップと、上記応答メッセージに含まれているｅＭＳＣ指示子が上記端末に格納されているｅＭＳＣ指示子と異なる場合には、上記応答メッセージに含まれているｅＭＳＣ指示子により示された上記ｅＭＳＣに上記端末の位置を登録するステップとを具備する。
2010536303.tif 000002
【特許請求の範囲】
【請求項１】
移動通信網における端末の位置登録方法であって、
前記移動通信網の移動性管理エンティティ（ＭＭＥ）に前記端末の位置登録を要請する要請メッセージを送信するステップと、
複数のパケット基盤移動交換局（ｅＭＳＣ）の中で前記ＭＭＥに接続されたｅＭＳＣを示すｅＭＳＣ指示子を含む応答メッセージを前記ＭＭＥから受信するステップと、
前記応答メッセージに含まれているｅＭＳＣ指示子が前記端末に格納されているｅＭＳＣ指示子と異なる場合には、前記応答メッセージに含まれているｅＭＳＣ指示子により示された前記ｅＭＳＣに前記端末の位置を登録するステップと
を具備することを特徴とする端末の位置登録方法。
【請求項２】
前記要請メッセージは、トラッキングエリアアップデート（ＴＡＵ）要請メッセージ及び接続要請メッセージの中の少なくとも１つを含むことを特徴とする請求項１に記載の端末の位置登録方法。
【請求項３】
前記登録するステップは、
前記端末と基地局（ｅＮＢ）との間にインターネットプロトコル（ＩＰ）送信のための無線ベアラを確立するステップと、
前記端末の位置を登録するための位置アップデート要請メッセージを前記無線ベアラを介して前記ｅＭＳＣに送信し、位置アップデート応答メッセージを前記ｅＭＳＣから受信するステップと
を具備することを特徴とする請求項１に記載の端末の位置登録方法。
【請求項４】
前記位置アップデート要請メッセージを含む少なくとも１つのＩＰパケットを送信するためのＩＰトンネルを前記ｅＭＳＣに確立するステップをさらに具備することを特徴とする請求項３に記載の端末の位置登録方法。
【請求項５】
前記端末の位置を前記ｅＭＳＣに登録した後に、前記端末の前の位置が登録されたｅＭＳＣに接続されたＩＰトンネルを解除するステップをさらに具備することを特徴とする請求項４に記載の端末の位置登録方法。
【請求項６】
移動通信網の移動性管理エンティティ（ＭＭＥ）での端末の位置登録方法であって、
前記端末の位置登録を要請する要請メッセージを前記端末から受信するステップと、
前記要請メッセージに従って前記端末の位置を登録した後に、複数のパケット基盤移動交換局（ｅＭＳＣ）の中で前記ＭＭＥに接続されたｅＭＳＣを示すｅＭＳＣ指示子を決定するステップと、
前記決定されたｅＭＳＣ指示子を含む応答メッセージを前記端末に送信するステップと
を具備することを特徴とする端末の位置登録方法。
【請求項７】
前記要請メッセージは、トラッキングエリアアップデート（ＴＡＵ）要請メッセージ及び接続要請メッセージの中の少なくとも１つを含むことを特徴とする請求項６に記載の端末の位置登録方法。
【請求項８】
移動通信網における端末の位置登録装置であって、
前記移動通信網の移動性管理エンティティ（ＭＭＥ）に前記端末の位置登録を要請する要請メッセージを送信し、複数のパケット基盤移動交換局（ｅＭＳＣ）の中で前記ＭＭＥに接続されたｅＭＳＣを示すｅＭＳＣ指示子を含む応答メッセージを前記ＭＭＥから受信する送受信部と、
前記応答メッセージに含まれているｅＭＳＣ指示子が前記端末に格納されているｅＭＳＣ指示子と異なる場合には、前記応答メッセージに含まれているｅＭＳＣ指示子により示されたｅＭＳＣに前記端末の位置を登録する制御部と
を具備することを特徴とする端末の位置登録装置。
【請求項９】
前記要請メッセージは、トラッキングエリアアップデート（ＴＡＵ）要請メッセージ及び接続要請メッセージの中の少なくとも１つを含むことを特徴とする請求項８に記載の端末の位置登録装置。
【請求項１０】
前記送受信部は、前記端末と基地局（ｅＮＢ）との間に確立されたインターネットプロトコル（ＩＰ）送信のための無線ベアラを介して前記端末の位置を登録するための位置アップデート要請メッセージを前記ｅＭＳＣに送信し、前記位置アップデート要請メッセージに対応する位置アップデート応答メッセージを前記ｅＭＳＣから受信することを特徴とする請求項８に記載の端末の位置登録装置。
【請求項１１】
前記制御部は、前記位置アップデート要請メッセージを含む少なくとも１つのＩＰパケットを送信するためのＩＰトンネルを前記ｅＭＳＣに確立することを特徴とする請求項１０に記載の端末の位置登録装置。
【請求項１２】
前記制御部は、前記端末の位置を前記ｅＭＳＣに登録した後に、前記端末の前の位置が登録されたｅＭＳＣに接続されたＩＰトンネルを解除することを特徴とする請求項１１に記載の端末の位置登録装置。
【請求項１３】
移動通信網の移動性管理エンティティ（ＭＭＥ）での端末の位置登録装置であって、
前記端末の位置登録を要請する要請メッセージに従って前記端末の位置を登録した後に、複数のパケット基盤移動交換局（ｅＭＳＣ）の中で前記ＭＭＥに接続されたｅＭＳＣを示すｅＭＳＣ指示子を決定する制御部と、
前記要請メッセージを前記端末から受信し、前記決定されたｅＭＳＣ指示子を含む応答メッセージを前記端末に送信する送受信部と
を具備することを特徴とする端末の位置登録装置。
【請求項１４】
前記要請メッセージは、トラッキングエリアアップデート（ＴＡＵ）要請メッセージ及び接続要請メッセージの中の少なくとも１つを含むことを特徴とする請求項１３に記載の端末の位置登録装置。
【請求項１５】
移動通信網における端末の位置登録方法であって、
前記移動通信網の移動性管理エンティティ（ＭＭＥ）に前記端末の位置登録を要請する要請メッセージを送信するステップと、
複数の汎用アクセスネットワーク制御器（ＧＡＮＣ）の中で前記ＭＭＥに接続されたＧＡＮＣを示すＧＡＮＣ指示子を含む応答メッセージを前記ＭＭＥから受信するステップと、
前記応答メッセージに含まれているｅＭＳＣ指示子が前記端末に格納されているＧＡＮＣ指示子と異なる場合には、前記応答メッセージに含まれているＧＡＮＣ指示子により示されたＧＡＮＣに接続されたＭＳＣに前記端末の位置を登録するステップと
を具備することを特徴とする端末の位置登録方法。
【請求項１６】
前記要請メッセージは、トラッキングエリアアップデート（ＴＡＵ）要請メッセージ及び接続要請メッセージの中の少なくとも１つを含むことを特徴とする請求項１５に記載の端末の位置登録方法。
【請求項１７】
前記登録するステップは、
前記端末と基地局（ｅＮＢ）との間にインターネットプロトコル（ＩＰ）送信のための無線ベアラを確立するステップと、
位置アップデート要請メッセージを前記無線ベアラを介して前記ｅＭＳＣに送信し、前記位置アップデート要請メッセージに対応する位置アップデート応答メッセージを前記ＭＳＣから受信するステップと
を具備することを特徴とする請求項１５に記載の端末の位置登録方法。
【請求項１８】
前記位置アップデート要請メッセージを含む少なくとも１つのＩＰパケットを送信するためのＩＰトンネルを前記ＧＡＮＣに確立するステップをさらに具備することを特徴とする請求項１７に記載の端末の位置登録方法。
【請求項１９】
前記端末の位置を前記ＭＳＣに登録した後に、前記端末の前の位置が登録されたＭＳＣに接続されたＧＡＮＣに接続されたＩＰトンネルを解除するステップをさらに具備することを特徴とする請求項１８に記載の端末の位置登録方法。
【請求項２０】
移動通信網の移動性管理エンティティ（ＭＭＥ）での端末の位置登録方法であって、
前記端末の位置登録を要請する要請メッセージを前記端末から受信するステップと、
前記要請メッセージに従って前記端末の位置を登録した後に、複数の汎用アクセスネットワーク制御器（ＧＡＮＣ）の中で前記ＭＭＥに接続されたＧＡＮＣを示すＧＡＮＣ指示子を決定するステップと、
前記決定されたＧＡＮＣ指示子を含む応答メッセージを前記端末に送信するステップと
を具備することを特徴とする端末の位置登録方法。
【請求項２１】
前記要請メッセージは、トラッキングエリアアップデート（ＴＡＵ）要請メッセージ及び接続要請メッセージの中の少なくとも１つを含むことを特徴とする請求項２０に記載の端末の位置登録方法。
【請求項２２】
移動通信網における端末の位置登録装置であって、
前記移動通信網の移動性管理エンティティ（ＭＭＥ）に前記端末の位置登録を要請する要請メッセージを送信し、複数の汎用アクセスネットワーク制御器（ＧＡＮＣ）の中で前記ＭＭＥに接続されたＧＡＮＣを示すＧＡＮＣ指示子を含む応答メッセージを前記ＭＭＥから受信する送受信部と、
前記応答メッセージに含まれているＧＡＮＣ指示子が前記端末に格納されているＧＡＮＣ指示子と異なる場合に、前記応答メッセージに含まれているＧＡＮＣ指示子により示されたＧＡＮＣに接続されたＭＳＣに前記端末の位置を登録する制御部と
を具備することを特徴とする端末の位置登録装置。
【請求項２３】
前記要請メッセージは、トラッキングエリアアップデート（ＴＡＵ）要請メッセージ及び接続要請メッセージの中の少なくとも１つを含むことを特徴とする請求項２２に記載の端末の位置登録装置。
【請求項２４】
前記送受信部は、前記端末と基地局（ｅＮＢ）との間に確立されたインターネットプロトコル（ＩＰ）送信のための無線ベアラを介して前記端末の位置を登録するための位置アップデート要請メッセージを前記ＭＳＣに送信し、前記位置アップデート要請メッセージに対応する位置アップデート応答メッセージを前記ＭＳＣから受信することを特徴とする請求項２２に記載の端末の位置登録装置。
【請求項２５】
前記制御部は、前記位置アップデート要請メッセージを含む少なくとも１つのＩＰパケットを送信するためのＩＰトンネルを前記ＧＡＮＣに確立することを特徴とする請求項２４に記載の端末の位置登録装置。
【請求項２６】
前記制御部は、前記端末の位置を前記ＭＳＣに登録した後に、前記端末の前の位置が登録されたＭＳＣに接続されたＧＡＮＣに接続されたＩＰトンネルを解除することを特徴とする請求項２５に記載の端末の位置登録装置。
【請求項２７】
移動通信網の移動性管理エンティティ（ＭＭＥ）での端末の位置登録装置であって、
前記端末の位置登録を要請する要請メッセージに従って前記端末の位置を登録した後に、複数の汎用アクセスネットワーク制御器（ＧＡＮＣ）の中で前記ＭＭＥに接続されたＧＡＮＣを示すＧＡＮＣ指示子を決定する制御部と、
前記要請メッセージを前記端末から受信し、前記決定されたＧＡＮＣ指示子を含む応答メッセージを前記端末に送信する送受信部と
を具備することを特徴とする端末の位置登録装置。
【請求項２８】
前記要請メッセージは、トラッキングエリアアップデート（ＴＡＵ）要請メッセージ及び接続要請メッセージの中の少なくとも１つを含むことを特徴とする請求項２７に記載の端末の位置登録装置。
【発明の詳細な説明】
【技術分野】
【０００１】
本発明は、一般的に移動通信網に関し、特に、移動通信網のパケットスイッチング（Packet Switching：以下、“ＰＳ”と称する。）ドメインにおける端末の位置登録方法及び装置に関する。
【背景技術】
【０００２】
図１は、従来のＰＳドメインでパケット基盤移動交換局（enhanced Mobile Switching Center：以下、“ｅＭＳＣ”と称する。）を含む移動通信網を示す図である。
【０００３】
図１を参照すると、端末機（User Equipment：以下、“ＵＥ”と称する。）１３１は、インターネットプロトコル（Internet Protocol：以下、“ＩＰ”と称する。）ネットワーク１０１を介して電話通話サービスに接続される。
【０００４】
参照符号１０２は、ヨーロッパが２．５世代及び３世代（２．５Ｇ／３Ｇ）移動通信システムであるＧＰＲＳ／ＵＭＴＳ（General Packet Radio Service/Universal Mobile Telecommunications System）から進化した移動通信コアネットワーク（ＣＮ）及びアクセスネットワーク（ＡＮ）を示す。
【０００５】
基地局（enhanced Node B：以下、“ｅＮＢ”と称する。）１２１乃至１２６は、無線接続を管理する。移動性管理エンティティ（Mobility Management Entity：以下、“ＭＭＥ”と称する。）１１１、１１２、及び１１３は、ＵＥ１３１が移動通信網に接続される際にＵＥ１３１の認証及び登録を担当する。ＵＥ１３１からサービス要請を処理し、ＵＥ１３１がｅＮＢ１２１乃至１２６間を移動する際にＵＥ１３１に対する移動性を保証する。６つのｅＮＢ及び３つのＭＭＥのみが図面に図示されたが、本発明の範囲を外れない範囲内でｅＮＢ及びＭＭＥの数を増加させるか又は減少させることができる。
【０００６】
サービングゲートウェイ（Serving Gateway：以下、“ＳＧＷ”と称する。）１０５及び１０６は、音声情報のようなユーザサービスデータをｅＮＢ１２１乃至１２６に送信するためのベアラサービスを提供する。パケットデータネットワークゲートウェイ（Packet Data Network Gateway：以下、“ＰＤＮ ＧＷ”又は“ＰＧＷ”と称する。）１０４は、ＩＰアドレスを移動通信網に接続されたＵＥ１３１に割り当て、ＩＰ接続性をＵＥ１３１に提供する。ＩＰ網１０１において、ＰＤＮ ＧＷ１０４は、一般的なＩＰルータと同一の動作を実行する。
【０００７】
ｅＭＳＣ１０３は、２Ｇ／３Ｇ移動通信網の移動交換局と機能面では同一である。進化した移動通信網において、ｅＭＳＣ１０３は、回線交換（Circuit Switching：以下、“ＣＳ”と称する。）サービスを提供しないために、ＣＳサービスを提供する従来のＭＳＣとは異なり、ＰＳを介してサービスを提供する点が異なる。言い換えれば、ｅＭＳＣ１０３は、呼制御信号及び音声信号のすべてをＩＰパケットを介して送信する。ｅＭＳＣ１０３がパケットサービスを提供するのに従う利点は、ｅＭＳＣ１０３の無線リソース管理及びデータベアラー管理機能を進化した移動通信コアネットワークから提供を受けるために、ｅＭＳＣ１０３がｅＮＢ１２１乃至１２６に直接接続されない。したがって、ｅＭＳＣ１０３は、ＩＰ網１０１で位置とは無関係に設置されることができる。例えば、ｅＭＳＣ１０３は、移動通信網に独立した典型的なＩＰサーバのように位置することができる。
【０００８】
図１に示すｅＭＳＣ１０３とＭＭＥ１１１、１１２、及び１１３との間のインターフェースは、ＵＥ１３１が２Ｇ／３Ｇ ＣＳ網に移動する場合にも、音声サービスのシームレスなハンドオーバ及び信頼性よいハンドオーバを提供するために使用される。ｅＭＳＣ１０３がＣＳ網のないＩＰ網でも、従来のＣＳ網と類似したサービスを容易に提供する長所があることにもかかわらず、次のような制約点がある。
【０００９】
ｅＭＳＣが移動通信コアネットワークのすべてのＭＭＥとのインターフェースを有しなければならないが、ＭＭＥは、ｅＮＢに隣接したエンティティであり、移動通信網がサービスを提供する地域が広い場合に、ＭＭＥの数も比例して増加し、これにより、ｅＭＳＣとすべてのＭＭＥとの間のインターフェースに従う難しさが発生する。ｅＭＳＣとＭＭＥとの間のインターフェースは、ＵＥをＣＳ網にハンドオーバするために使用されるために、ＭＭＥ及びｅＭＳＣが物理的に遠く離れているところに位置する場合には、通信遅延によるハンドオーバ遅延又はハンドオーバ失敗の確率が高い。また、他のサービスプロバイダーを介してローミングサービスを提供する場合に、ｅＭＳＣは、サービスプロバイダーのＭＭＥに接続されなければならない。これは、ローミング協約が複雑になるため、実質的にローミングサービスを提供することができない場合が発生し得る。
【００１０】
したがって、複数のｅＭＳＣ又は複数のｅＭＳＣと同一の機能をする複数の汎用アクセスネットワーク制御器（General Access Network Controller：以下、“ＧＡＮＣ”と称する。）及び複数のＭＳＣを介してＵＥの位置を登録する方案が要求される。
【発明の概要】
【発明が解決しようとする課題】
【００１１】
したがって、本発明は、上述した従来技術の問題点を解決するために提案されたものであり、その目的は、１つのＩＰ網を介してサービスを支援するための移動通信網で複数のｅＭＳＣ又は複数のＧＡＮＣ及び複数のＭＳＣを介してＵＥの位置を登録する方法及び装置を提供することにある。
【００１２】
本発明の他の目的は、１つのＩＰ網を介してサービスを支援するための移動通信網で複数のｅＭＳＣ、又は複数のＧＡＮＣ及び複数のＭＳＣを介して領域アップデート及び接続（Attachment）に対するＵＥの位置登録方法及び装置を提供することにある。
【課題を解決するための手段】
【００１３】
上記のような目的を達成するために、本発明の一態様によれば、移動通信網における端末の位置登録方法を提供する。上記方法は、上記移動通信網の移動性管理エンティティ（ＭＭＥ）に上記端末の位置登録を要請する要請メッセージを送信するステップと、複数のパケット基盤移動交換局（ｅＭＳＣ）の中で上記ＭＭＥに接続されたｅＭＳＣを示すｅＭＳＣ指示子を含む応答メッセージを上記ＭＭＥから受信するステップと、上記応答メッセージに含まれているｅＭＳＣ指示子が上記端末に格納されているｅＭＳＣ指示子と異なる場合には、上記応答メッセージに含まれているｅＭＳＣ指示子により示された上記ｅＭＳＣに上記端末の位置を登録するステップとを具備することを特徴とする。
【００１４】
本発明の他の態様によれば、移動通信網の移動性管理エンティティ（ＭＭＥ）での端末の位置登録方法を提供する。上記方法は、上記端末の位置登録を要請する要請メッセージを上記端末から受信するステップと、上記要請メッセージに従って上記端末の位置を登録した後に、複数のパケット基盤移動交換局（ｅＭＳＣ）の中で上記ＭＭＥに接続されたｅＭＳＣを示すｅＭＳＣ指示子を決定するステップと、上記決定されたｅＭＳＣ指示子を含む応答メッセージを上記端末に送信するステップとを具備することを特徴とする。
【００１５】
本発明のさらに他の態様によれば、移動通信網における端末の位置登録装置を提供する。上記装置は、上記移動通信網の移動性管理エンティティ（ＭＭＥ）に上記端末の位置登録を要請する要請メッセージを送信し、複数のパケット基盤移動交換局（ｅＭＳＣ）の中で上記ＭＭＥに接続されたｅＭＳＣを示すｅＭＳＣ指示子を含む応答メッセージを上記ＭＭＥから受信する送受信部と、上記応答メッセージに含まれているｅＭＳＣ指示子が上記端末に格納されているｅＭＳＣ指示子と異なる場合には、上記応答メッセージに含まれているｅＭＳＣ指示子により示されたｅＭＳＣに上記端末の位置を登録する制御部とを具備することを特徴とする。
【００１６】
本発明のさらなる他の態様によれば、移動通信網の移動性管理エンティティ（ＭＭＥ）での端末の位置登録装置を提供する。上記装置は、上記端末の位置登録を要請する要請メッセージに従って上記端末の位置を登録した後に、複数のパケット基盤移動交換局（ｅＭＳＣ）の中で上記ＭＭＥに接続されたｅＭＳＣを示すｅＭＳＣ指示子を決定する制御部と、上記要請メッセージを上記端末から受信し、上記決定されたｅＭＳＣ指示子を含む応答メッセージを上記端末に送信する送受信部とを具備することを特徴とする。
【００１７】
本発明のさらなる他の１つの態様によれば、移動通信網における端末の位置登録方法を提供する。上記方法は、上記移動通信網の移動性管理エンティティ（ＭＭＥ）に上記端末の位置登録を要請する要請メッセージを送信するステップと、複数の汎用アクセスネットワーク制御器（ＧＡＮＣ）の中で上記ＭＭＥに接続されたＧＡＮＣを示すＧＡＮＣ指示子を含む応答メッセージを上記ＭＭＥから受信するステップと、上記応答メッセージに含まれているｅＭＳＣ指示子が上記端末に格納されているＧＡＮＣ指示子と異なる場合には、上記応答メッセージに含まれているＧＡＮＣ指示子により示されたＧＡＮＣに接続されたＭＳＣに上記端末の位置を登録するステップとを具備することを特徴とする。
【００１８】
本発明のさらにまた他の態様によれば、移動通信網の移動性管理エンティティ（ＭＭＥ）での端末の位置登録方法を提供する。上記方法は、上記端末の位置登録を要請する要請メッセージを上記端末から受信するステップと、上記要請メッセージに従って上記端末の位置を登録した後に、複数の汎用アクセスネットワーク制御器（ＧＡＮＣ）の中で上記ＭＭＥに接続されたＧＡＮＣを示すＧＡＮＣ指示子を決定するステップと、上記決定されたＧＡＮＣ指示子を含む応答メッセージを上記端末に送信するステップとを具備することを特徴とする。
【００１９】
本発明のさらにまた他の態様によれば、移動通信網における端末の位置登録装置を提供する。上記装置は、上記移動通信網の移動性管理エンティティ（ＭＭＥ）に上記端末の位置登録を要請する要請メッセージを送信し、複数の汎用アクセスネットワーク制御器（ＧＡＮＣ）の中で上記ＭＭＥに接続されたＧＡＮＣを示すＧＡＮＣ指示子を含む応答メッセージを上記ＭＭＥから受信する送受信部と、上記応答メッセージに含まれているＧＡＮＣ指示子が上記端末に格納されているＧＡＮＣ指示子と異なる場合に、上記応答メッセージに含まれているＧＡＮＣ指示子により示されたＧＡＮＣに接続されたＭＳＣに上記端末の位置を登録する制御部とを具備することを特徴とする。
【００２０】
本発明のさらにその他の態様によれば、移動通信網の移動性管理エンティティ（ＭＭＥ）での端末の位置登録装置を提供する。上記装置は、上記端末の位置登録を要請する要請メッセージに従って上記端末の位置を登録した後に、複数の汎用アクセスネットワーク制御器（ＧＡＮＣ）の中で上記ＭＭＥに接続されたＧＡＮＣを示すＧＡＮＣ指示子を決定する制御部と、上記要請メッセージを上記端末から受信し、上記決定されたＧＡＮＣ指示子を含む応答メッセージを上記端末に送信する送受信部とを具備することを特徴とする。
【発明の効果】
【００２１】
本発明は、１つのＩＰ網を介して音声サービスを支援するためにＵＥの位置登録を実行し、ＩＰ網で動作するｅＭＳＣと移動通信コアネットワークとの相互作用を可能にする。すなわち、ネットワーク構成において、ｅＭＳＣが２Ｇ／３Ｇ無線交換局（ＭＳＣ）に近く位置させることができるため、既存の網とのハンドオーバの成功率及び性能を高めることができる。
【００２２】
また、本発明は、ＵＥが他のサービスプロバイダーが管理するネットワークにローミングする場合に、付加のＵＥ操作及び設定なしにネットワークのｅＭＳＣの使用を可能にする。
【図面の簡単な説明】
【００２３】
【図１】ＰＳドメインにおけるｅＭＳＣを含む従来の移動通信網を示す図である。
【図２】本発明の第１及び第２の実施形態によるＩＰ網における複数のｅＭＳＣを含む移動通信網を示す図である。
【図３】本発明の第１の実施形態による移動通信網におけるＵＥの位置を登録する動作に対する信号フローを示す図である。
【図４】本発明の第２の実施形態による移動通信網におけるＵＥの位置を登録する動作に対する信号フローを示す図である。
【図５】本発明の第１の実施形態による移動通信網におけるＵＥの位置を登録するＵＥの動作を示すフローチャートである。
【図６】本発明の第２の実施形態による移動通信網におけるＵＥの位置を登録するＵＥの動作を示すフローチャートである。
【図７】本発明の第１及び第２の実施形態による移動通信網におけるＵＥの位置を登録するＭＭＥの動作を示すフローチャートである。
【図８】本発明の第３及び第４の実施形態によるＩＰ網での複数のＧＡＮＣと複数のＭＳＣとを含む移動通信網を示す図である。
【図９】本発明の第３の実施形態による移動通信網におけるＵＥの位置を登録する動作に対する信号フローを示す図である。
【図１０】本発明の第４の実施形態による移動通信網におけるＵＥの位置を登録する動作に対する信号フローを示す図である。
【発明を実施するための形態】
【００２４】
本発明の一実施形態の目的、特性、及び長所は、添付した図面と共に以下の説明により、さらに明確になる。
本発明の詳細な構成および要素として本発明の詳細な説明で定義される特徴は、本発明の実施形態の包括的な理解を助けるために提供される。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００２５】
本発明の実施形態は、電話通話サービスを提供する移動通信網において、進化した移動交換局（ｅＭＳＣ）及び３ＧＰＰ基盤の進化したコアネットワーク（ＣＮ）であるシステムアーキテクチャエボルーション（System Architecture Evolution：ＳＡＥ）コアネットワークに関連して説明するが、本発明の手続きが任意の移動通信網にも同一に適用されることができる。そして、本発明の実施形態による移動通信網におけるＵＥ及びＭＭＥは、制御部及び送受信部を含み、上記制御部及び上記送受信部は、ＵＥの位置登録を実行する。
【００２６】
図２は、本発明の第１及び第２の実施形態によるＩＰ網における複数のｅＭＳＣを含む移動通信網を示す図である。
図２を参照すると、ＵＥ２３１がＩＰ網２０１を介して電話通話サービスに接続されていると仮定する。ＰＧＷ２０７とＳＧＷ２０８、２０９、及び２１０とは、図１に示したＰＧＷ１０４とＳＧＷ１０５及び１０６と同一の方式で動作する。ｅＭＳＣ２０４、２０５、及び２０６のそれぞれは、すべてのＭＭＥ２１１乃至２１４に接続される必要がなく、複数のｅＭＳＣは、同一のＭＭＥ（例えば、ＭＭＥ２１２）に接続されることもできる。ＭＭＥ２１１乃至２１４は、自身に接続されたｅＭＳＣに関する情報を有しており、移動通信網内の他のノードから情報を持ってくることができる。
【００２７】
本発明の第１及び第２の実施形態による複数のｅＭＳＣ２０４、２０５、及び２０６を含む移動通信網において、ＵＥ２３１は、自身の位置を登録するための要請メッセージを移動通信網に送信する。この要請メッセージに対するｅＭＳＣ変更指示子を含む応答メッセージを受信すると、ＵＥ２３１は、必要に応じて、ｅＭＳＣ変更指示子により示されるｅＭＳＣに自身の位置を登録する。
【００２８】
ＭＭＥは、ＵＥ２３１から要請メッセージを受信し、この要請メッセージに従ってＵＥ２３１の位置に関する情報を記憶し、ＭＭＥに接続されたｅＭＳＣを識別するｅＭＳＣ変更指示子を決定し、この決定されたｅＭＳＣ変更指示子が含まれている応答メッセージをＵＥ２３１に送信する。
【００２９】
以下、本発明の第１及び第２の実施形態において、この要請メッセージが、ＵＥが移動の間に複数のｅＭＳＣを含む移動通信網に自身の位置を登録するための登録要請メッセージである（第１の実施形態）か、又はＵＥが初期アクセスの間に自身の位置を移動通信網に登録するための要請メッセージである（第２の実施形態）かに基づいて、移動通信網で複数のｅＭＳＣを使用する方法について説明する。
【００３０】
図３は、本発明の第１の実施形態による移動通信網におけるＵＥの位置を登録する動作に対する信号フローを示す図である。
図３を参照すると、移動通信網で移動する際に、ステップ３１１で、ＵＥ３０１は、自身の位置をＭＭＥ３０３に登録するためにトラッキングエリアアップデート（Tracking Area Update：以下、“ＴＡＵ”と称する。）要請メッセージをｅＮＢ３０２を介してＭＭＥ３０３に送信する。移動通信網でｅＮＢ間を移動する間に、ＵＥ３０１が現在サービングしているＭＭＥのサービスエリア（すなわち、トラッキングエリア）から移動する際に、ＵＥ３０１は、ＴＡＵ要請メッセージにより現在サービングしているＭＭＥからの移動を移動通信ＣＮに通知することによりＵＥ３０１の管理エンティティの変更を新たなサービスエリアを有する新たなＭＭＥ３０３に要請する。
【００３１】
新たなサービスエリアでサービスを提供する新たなＳＧＷ３０４が現在（以下、“既存”とも呼ばれる。）のＳＧＷと異なる場合に、ステップ３１２で、ＭＭＥ３０３は、ＳＧＷ３０４及びＰＧＷ３０８との新たなベアラを確立する。ＳＧＷ３０４は、ｅＮＢ３０２が変更されても同一のＰＧＷ３０８にベアラを接続するためのノードであり、ＰＧＷ３０８は、ＩＰ網のようなパケットデータネットワーク（ＰＤＮ）に無線通信網を接続するためのノードである。
【００３２】
ステップ３１３で、ＭＭＥ３０３は、ＵＥ３０１の位置をホーム加入者サーバ（ＨＳＳ）３０５にアップデートする。この位置アップデートに成功する場合に、ステップ３１４で、ＨＳＳ３０５は、ＵＥ３０１に対する位置アップデートの成功を示すアップデート位置正常応答（Ａｃｋ）メッセージをＭＭＥ３０３に送信する。
【００３３】
ステップ３１５で、ＭＭＥ３０３は、ＵＥ３０１の位置アップデート結果による他の情報（例えば、ＳＡＥ−臨時移動加入者識別子（Ｓ−ＴＭＳＩ）又はＧＵＴＩ（Globally Unique Temporary Identity）及びトラッキングエリア（Tracking Area：ＴＡ）リスト）とともにｅＭＳＣ変更指示子が含まれているＴＡＵ応答メッセージをＵＥ３０１に送信する。ここで、Ｓ−ＴＭＳＩ又はＧＵＴＩは、ＵＥのＩＭＳＩの代わりにユーザ指示子を示し、ＴＡリストは、ＵＥがＴＡＵなく移動可能なＴＡを含む。この際に、ＭＭＥ３０３は、複数のｅＭＳＣに接続される場合に、ＭＭＥ３０３の接続状態に従って複数のｅＭＳＣの中の１つを選択した後に、ＴＡＵ応答メッセージ内のこの選択されたｅＭＳＣを示すｅＭＳＣ変更指示子を含む。
【００３４】
以下、本発明の第１の実施形態に従って、ｅＭＳＣ変更指示子の例としてｅＭＳＣのＩＰアドレスを使用して説明する。
ＵＥ３０１は、ＴＡＵ応答メッセージに設定されているｅＭＳＣのＩＰアドレスを予め記憶されているｅＭＳＣのＩＰアドレスと比較する。ｅＭＳＣのＩＰアドレスが異なる場合に、ＵＥ３０１は、受信されたｅＭＳＣ ＩＰアドレスが新たなｅＭＳＣ３０６のＩＰアドレスと判定する。したがって、自身の位置を新たなｅＭＳＣ３０６に登録するために、ＵＥ３０１は、ステップ３１６で、ｅＮＢ３０２と無線ベアラを確立し、新たなｅＭＳＣ３０６のＩＰアドレスを移動通信網に接続する。
【００３５】
一方、ｅＭＳＣのＩＰアドレスが同一である場合に、ＵＥ３０１は、既存のｅＭＳＣ３０７への接続の再開を要請する。一方、ステップ３１５で、ＵＥ３０１は、ＴＡＵ応答メッセージに含まれているｅＭＳＣのＩＰアドレスを後で新たなｅＭＳＣのＩＰアドレスと比較するために内部に記憶する。ステップ３１６の後に、ＵＥ３０１は、ホーム公衆地上回線移動通信網（Home Public Land Mobile Network：以下、“ＨＰＬＭＮ”と称する。）２０２又は訪問公衆地上移動通信網（Visited Public Land Mobile Network：以下、“ＶＰＬＭＮ”と称する。）２０３が提供するＩＰ接続性のための無線網を介してＩＰ網にＩＰパケットを送信することができる。
【００３６】
ステップ３１７で、ＵＥ３０１は、無線網を介してＩＰ網のｅＭＳＣ３０６にＩＰパケットを安全に送信するためのＩＰトンネルを確立する。ＩＰトンネルは、インターネットプロトコル保安（Internet Protocol Security：以下、“ＩＰＳｅｃ”と称する。）、保安ソケットレイヤー（Secure Socket Layer：以下、“ＳＳＬ”と称する。）、及び転送レイヤー保安（Transport Layer Security：以下、“ＴＬＳ”と称する。）などの方法を用いて生成されることができる。このようなプロトコルは、当該技術分野でよく知られている技術であるため、ここでは、詳細な説明を省略する。保安性が要求されない場合には、ステップ３１７を省略することができる。
【００３７】
ステップ３１８で、ＵＥ３０１は、ステップ３１５で取得したｅＭＳＣのＩＰアドレスに対応する新たなｅＭＳＥ３０６に自身の位置を登録させるためにＩＰトンネルを介してＵＥアップデート要請メッセージをｅＭＳＣ３０６に送信する。
【００３８】
ステップ３１９で、ｅＭＳＣ３０６は、位置アップデート要請メッセージに従ってＵＥ３０１の位置をＨＳＳ３０５にアップデートする。ステップ３２０で、ＵＥ３０１の位置アップデートに成功する場合に、ＨＳＳ３０５は、ＵＥ３０１のアップデート位置正常応答（Ａｃｋ）メッセージをｅＭＳＣ３０６に送信する。
【００３９】
アップデート位置Ａｃｋメッセージを受信すると、ｅＭＳＣ３０６は、ステップ３２１で、位置アップデート応答メッセージをＵＥ３０１に送信する。
【００４０】
新たなｅＭＳＣ３０６に位置登録を完了した後に、既存のｅＭＳＣ３０７に接続されたＩＰトンネルがある場合に、ステップ３２２で、ＵＥ３０１は、既存のｅＭＳＣ３０７からＩＰトンネルの接続を解除する。
【００４１】
図４は、本発明の第２の実施形態による移動通信網におけるＵＥの位置を登録する動作に対する信号フローを示す図である。
図４を参照すると、移動通信網への初期アクセスの間に（例えば、パワーオン）、ステップ４１１で、ＵＥ４０１は、移動通信網に自身の位置を登録するために接続（Attach）要請メッセージをｅＮＢ４０２に送信する。ステップ４１２で、ｅＮＢ４０２は、接続要請メッセージをＭＭＥ４０３に送信する。
【００４２】
ステップ４１３で、ＭＭＥ４０３は、デフォルトベアラサービスをＵＥ４０１に提供するためにｅＮＢ４０２、ＳＧＷ４０４、及びＰＧＷ４０８とのデフォルトベアラを生成する。ここで、ＳＧＷ４０４は、ｅＮＢ４０２が変更されても同一のＰＧＷ４０８にベアラを接続するためのノードであり、ＰＧＷ４０８は、ＩＰ網のようなパケットデータネットワーク（ＰＤＮ）に無線通信網を接続するためのノードである。
【００４３】
ステップ４１４で、ＭＭＥ４０３は、ＵＥ４０１の位置をＨＳＳ４０５にアップデートする。この位置アップデートに成功する場合に、ステップ４１５で、ＨＳＳ４０５は、ＵＥ４０１に対する位置アップデートの成功を示すアップデート位置正常応答（Ａｃｋ）メッセージをＭＭＥ４０３に送信する。
【００４４】
ステップ４１６で、ＭＭＥ４０３は、ＵＥ４０１の位置アップデート結果による他の情報（例えば、Ｓ−ＴＭＳＩ、ＴＡリスト、及びＰＤＮ ａｄｄｒ）とともにｅＭＳＣ変更指示子を含む接続応答メッセージをｅＮＢ４０２に送信する。ここで、ＰＤＮは、ＩＰ網でＩＰアドレスを示す。
【００４５】
ステップ４１７で、ｅＮＢ４０２は、接続手続きを完了するために、ｅＭＳＣ変更指示子が含まれている無線ベアラ確立要請メッセージを接続要請メッセージに対するＡｃｋメッセージ（応答）としてＵＥ４０１に送信する。
【００４６】
以下、本発明の第２の実施形態では、ｅＭＳＣのＩＰアドレスをｅＭＳＣ変更指示子の例として説明する。
【００４７】
ステップ４１８で、ＵＥ４０１は、無線ベアラ確立完了メッセージをｅＮＢ４０２に送信する。無線ベアラ確立要請メッセージがＭＭＥ４０３によりアップデートされた情報、例えば、新たなＳ−ＴＭＳＩを含まない場合に、ステップ４１８を省略することができる。一方、ステップ４１８で、ＵＥ４０１は、無線ベアラ確立要請メッセージに含まれているｅＭＳＣのＩＰアドレスを後で新たなｅＭＳＣのＩＰアドレスと比較するために内部に記憶する。
【００４８】
ステップ４１９で、ｅＮＢ４０２は、無線ベアラ確立完了メッセージに従って接続完了メッセージをＭＭＥ４０３に送信することにより、接続手順を完了する。
【００４９】
ステップ４２０で、ＵＥ４０１は、無線ベアラを介してＩＰ網のｅＭＳＣ４０６にＩＰパケットを安全に送信するためのＩＰトンネルを確立する。ＩＰトンネルは、ＩＰＳｅｃ、ＳＳＬ、及びＴＬＳなどの方法を用いて生成されることができる。保安性が要求されない場合には、ステップ４２０を省略することができる。ステップ４２１で、ＵＥ４０１は、ステップ４１８で取得したｅＭＳＣのＩＰアドレスに対応する新たなｅＭＳＣ４０６に自身の位置を登録させるためにＩＰトンネルを介して位置アップデート要請メッセージをｅＭＳＣ４０６に送信する。
【００５０】
ステップ４２２で、ｅＭＳＣ４０６は、位置アップデート要請メッセージに従ってＵＥ４０１の位置をＨＳＳ４０５にアップデートする。この位置アップデートに成功する場合に、ステップ４２３で、ＨＳＳ４０５は、アップデート位置ＡｃｋメッセージをｅＭＳＣ４０６に送信する。
【００５１】
このアップデート位置Ａｃｋメッセージを受信すると、ステップ４２４で、ｅＭＳＣ４０６は、位置アップデート応答メッセージをＵＥ４０１に送信する。
【００５２】
新たなｅＭＳＣ４０６への位置登録を完了した後に、既存のｅＭＳＣ４０７に接続されたＩＰトンネルが存在する場合に、ＵＥ４０１は、ステップ４２５で、既存のｅＭＳＣ４０７からＩＰトンネルの接続を解除する。
【００５３】
図５は、本発明の第１の実施形態による移動通信網におけるＵＥの位置を登録するＵＥの動作を示すフローチャートである。
【００５４】
図５を参照すると、ＵＥ３０１は、ステップ５０１で、移動通信網で移動する間に自身の位置をＭＭＥ３０３に登録するためにＴＡＵ要請メッセージをＭＭＥ３０３に送信する。
【００５５】
ステップ５０３で、ＵＥ３０１は、ｅＭＳＣのＩＰアドレスが含まれているＴＡＵ応答メッセージをＭＭＥ３０３から受信する。
【００５６】
ステップ５０５で、ＵＥ３０１は、ＴＡＵ応答メッセージ内に設定されたｅＭＳＣのＩＰアドレスを予め記憶されているｅＭＳＣのＩＰアドレスと比較する。このＩＰアドレスが相互に異なる場合には、ＵＥ３０１は、ｅＭＳＣの変更が必要であると判定し、ステップ５０７に進む。このＩＰアドレスが同一である場合に、ＵＥ３０１は、必要であれば、既存のｅＭＳＣ３０７への接続の再開を要請し、この手順を終了する。
【００５７】
ステップ５０７で、自身の位置を新たなｅＭＳＣ３０６に登録するために、ＵＥ３０１は、無線網を介して無線ベアラの確立を要請し、ＩＰパケットを送信できるようにする。
【００５８】
ステップ５０９で、ＵＥ３０１は、無線網を介してＩＰ網のｅＭＳＣ３０６にＩＰパケットを安全に送信するためのＩＰトンネルを生成する。
【００５９】
ステップ５１１で、ＵＥ３０１は、自身の位置をｅＭＳＣ３０６に登録する。したがって、ＵＥ３０１は、自身の位置登録をｅＭＳＣ３０６を介して音声呼を行うか又は受信することができる。
【００６０】
ＵＥ３０１は、新たなｅＭＳＣ３０６への位置登録を完了した後に、既存のｅＭＳＣ３０７に接続されたＩＰトンネルがある場合には、ステップ５１３で、ＵＥ３０１は、既存のｅＭＳＣ３０７からＩＰトンネルの接続を解除する。
【００６１】
図６は、本発明の第２の実施形態による移動通信網におけるＵＥの位置を登録するＵＥの動作を示すフローチャートである。
【００６２】
図６を参照すると、ステップ６０１で、ＵＥ４０１は、移動通信網への初期アクセスの間に、自身の位置をＭＭＥ４０３に登録するために接続要請メッセージをＭＭＥ４０３に送信する。
【００６３】
ステップ６０３で、ＵＥ４０１は、ｅＭＳＣのＩＰアドレスを含む接続応答メッセージに対する無線ベアラ確立要請メッセージをＭＭＥ４０３から受信する。
【００６４】
ステップ６０５で、ＵＥ４０１は、無線ベアラ確立要請メッセージに設定されたｅＭＳＣのＩＰアドレスを予め記憶されているｅＭＳＣのＩＰアドレスと比較し、この比較に従って既存のｅＭＳＣ４０７を変更するか否かを判定する。このＩＰアドレスが相互に異なる場合に、ＵＥ４０１は、ｅＭＳＣ変更が必要であると判定し、ステップ６０７に進む。このＩＰアドレスが同一である場合に、ＵＥ４０１は、既存のｅＭＳＣ４０７への接続の再開を要請し、この手続きを終了する。
【００６５】
ステップ６０７で、ＵＥ４０１は、無線網を介してＩＰ網の新たなｅＭＳＣ４０６にＩＰパケットを安全に送信するためのＩＰトンネルを生成する。
【００６６】
ステップ６０９で、ＵＥ４０１は、自身の位置を新たなｅＭＳＣ４０６に登録する。したがって、ＵＥ４０１は、自身の位置登録を新たなｅＭＳＣ４０６を介して音声呼を行うか又は受信することができる。
【００６７】
既存のｅＭＳＣ４０７に接続されたＩＰトンネルがある場合に、ステップ６１１で、ＵＥ４０１は、既存のｅＭＳＣ４０７からＩＰトンネルを解除する。
【００６８】
図７は、本発明の第１及び第２の実施形態による移動通信網におけるＵＥの位置を登録するＭＭＥの動作を示すフローチャートである。
【００６９】
図７を参照すると、ステップ７０１で、ＭＭＥは、位置登録を要請する要請メッセージをＵＥから受信する。ステップ７０３で、この要請メッセージがＴＡＵ要請メッセージである場合に、ＭＭＥは、ステップ７０５に進む。ステップ７０３で、この要請メッセージが接続要請メッセージである場合に、ＭＭＥは、ステップ７１１に進む。この要請メッセージがＴＡＵ要請メッセージ又は接続要請メッセージでない場合に、ＭＭＥは、この手順を終了する。
【００７０】
ステップ７０５で、ＭＭＥは、ＴＡＵ要請メッセージに従って本発明の第１の実施形態の上述した手順を実行する。
【００７１】
ステップ７０７で、ＭＭＥは、ｅＭＳＣへの接続状態に従ってＵＥに送信されるｅＭＳＣのＩＰアドレスを決定し、ステップ７０９で、ｅＭＳＣのＩＰアドレスを含むＴＡＵ応答メッセージをＵＥに送信する。
【００７２】
一方、ステップ７１１で、ＭＭＥは、接続要請メッセージに従って本発明の第２の実施形態の上述した手順を実行する。
【００７３】
ステップ７１３で、ＭＭＥは、ｅＭＳＣへの接続状態に従ってＵＥに送信されるｅＭＳＣのＩＰアドレスを決定し、ステップ７１５で、ｅＭＳＣのＩＰアドレスを含む接続応答メッセージをＵＥに送信する。
【００７４】
図８は、本発明の第３及び第４の実施形態によるＩＰ網での複数のＧＡＮＣと複数のＭＳＣとを含む移動通信網を示す図である。
【００７５】
図８を参照すると、本発明の第３及び第４の実施形態に従って、本発明の第１及び第２の実施形態のｅＭＳＣ２０４、２０５、及び２０６の機能がＧＡＮＣ８３２、８３３、及び８３４とＭＳＣ８０４、８０５、及び８０６とに分離される。他のエンティティは、図２に示した本発明の第１及び第２のエンティティと機能及び構成が同一である。
【００７６】
言い換えれば、ＧＡＮＣ８３２、８３３、及び８３４は、従来のＭＳＣの機能を除いたｅＭＳＣ２０４、２０５、及び２０６の機能を引き継ぐ。ＧＡＮＣ８３２、８３３、及び８３４のそれぞれは、ＵＥ８３１から受信されたＩＰパケットを処理し、この処理されたＩＰパケットを従来のＭＳＣが理解することができるインターフェース又はＩｕ−ＣＳインターフェースに適合したメッセージに変換し、ＵＥ８３１とＧＡＮＣ８３２、８３３、及び８３４間の安全なデータ送受信を保証する。
【００７７】
図９は、本発明の第３の実施形態による移動通信網におけるＵＥの位置を登録する動作に対する信号フローを示す図である。
【００７８】
図９を参照すると、ステップ９１１乃至ステップ９１４は、図３のステップ３１１乃至ステップ３１４と同一の方式で実行される。
【００７９】
すなわち、ステップ９１１で、移動通信網で移動する際に、ＵＥ９０１は、自身の位置をＭＭＥ９０３に登録するためにＴＡＵ要請メッセージをｅＮＢ９０２を介してＭＭＥ９０３に送信する。新たなサービスエリアでサービスを提供する新たなＳＧＷ９０４が既存のＳＧＷと異なる場合に、ＭＭＥ９０３は、ステップ９１２で、ＳＧＷ９０４及びＰＧＷ９０８と新たなベアラを確立し、ステップ９１３で、ＵＥ９０１の位置をＨＳＳ９０５にアップデートする。この位置のアップデートに成功する場合に、ＨＳＳ９０５は、ステップ９１４で、ＵＥ９０１の位置アップデートの成功を示すアップデート位置ＡｃｋメッセージをＭＭＥ９０３に送信する。
【００８０】
ステップ９１５で、ＭＭＥ９０３は、位置アップデート結果による他の情報（例えば、Ｓ−ＴＭＳＩ及びＴＡリスト）及びＧＡＮＣ変更指示子を含むＴＡＵ応答メッセージをＵＥ９０１に送信する。ＭＭＥ９０３が複数のＧＡＮＣに接続されている場合に、接続状態に従って複数のＧＡＮＣの中の１つを選択した後に、この選択されたＧＡＮＣを示すＧＡＮＣ変更指示子をＴＡＵ応答メッセージに含ませる。
【００８１】
以下、本発明の第３の実施形態に従ってＧＡＮＣ変更指示子の例としてＧＡＮＣのＩＰアドレスを使用して説明する。
【００８２】
ＵＥ９０１は、ＴＡＵ応答メッセージに設定されているＧＡＮＣのＩＰアドレスを予め記憶されているＧＡＮＣのＩＰアドレスと比較する。ＧＡＮＣのＩＰアドレスが相互に異なる場合に、ＵＥ９０１は、この受信されたＧＡＮＣのＩＰアドレスが新たなＧＡＮＣ９０６のＩＰアドレスと判定する。したがって、自身の位置を新たなＧＡＮＣ９０６に登録するために、ＵＥ９０１は、ステップ９１６で、ｅＮＢ９０２と無線ベアラを確立し、ＧＡＮＣ９０６のＩＰアドレスを移動通信網に接続する。
【００８３】
一方、ＴＡＵ応答メッセージに含まれているＧＡＮＣのＩＰアドレスが既存のＧＡＮＣのＩＰアドレスと同一である場合に、ＵＥ９０１は、既存のＧＡＮＣ９０８への接続の再開を要請する。他方、ステップ９１５で、ＵＥ９０１は、ＴＡＵ応答メッセージに含まれているＧＡＮＣのＩＰアドレスを後で新たなＧＡＮＣのＩＰアドレスと比較するために内部に格納する。ステップ９１６の後に、ＵＥ９０１は、ＨＰＬＭＮ８０２又はＶＰＬＭＮ８０３が提供するＩＰ接続性のための無線網サービングを介してＩＰパケットをＩＰ網に送信することができる。
【００８４】
ステップ９１７で、ＵＥ９０１は、無線網を介してＩＰ網のＧＡＮＣ９０６に安全にＩＰパケットを送信するためのＩＰトンネルを確立する。このＩＰトンネルは、ＩＰＳｅｃ、ＳＳＬ、及びＴＬＳなどの方法を用いて生成されることができ、保安性が要求されない場合には、ステップ９１７を省略することができる。
【００８５】
ステップ９１８で、ＵＥ９０１は、自身の位置を新たなＭＳＣ９０７に登録させるために、ステップ９１５で取得したＧＡＮＣのＩＰアドレスに対応するＧＡＮＣ９０６に接続されたＩＰトンネルを介して位置アップデート要請メッセージを新たなＭＳＣ９０７に送信する。
【００８６】
ステップ９１９で、ＭＳＣ９０７は、位置アップデート要請メッセージに従ってＵＥ９０１の位置をＨＳＳ９０５にアップデートする。ステップ９２０で、位置アップデートに成功する場合に、ＨＳＳ９０５は、アップデート位置ＡｃｋメッセージをＭＳＣ９０７に送信する。
【００８７】
アップデート位置Ａｃｋメッセージを受信すると、ＭＳＣ９０７は、ステップ９２１で、位置アップデート応答メッセージをＧＡＮＣ９０６を介してＵＥ９０１に送信する。
【００８８】
新たなＭＳＣ９０７に位置登録を完了した後に、既存のＧＡＮＣ９０８に接続されたＩＰトンネルが存在する場合に、ステップ９２２で、ＵＥ９０１は、既存のＧＡＮＣ９０８からＩＰトンネルの接続を解除する。
【００８９】
図１０は、本発明の第４の実施形態による移動通信網におけるＵＥの位置を登録する動作に対する信号フローを示す図である。
【００９０】
図１０を参照すると、ステップ１０１１乃至ステップ１０１５は、図４のステップ４１１乃至ステップ４１５と同一の方式で実行される。すなわち、移動通信網への初期アクセスの間に、ステップ１０１１で、ＵＥ１００１は、自身の位置を移動通信網に登録するために接続要請メッセージをｅＮＢ１００２に送信する。ステップ１０１２で、ｅＮＢ１００２は、接続要請メッセージをＭＭＥ１００３に送信する。ステップ１０１３で、ＭＭＥ１００３は、デフォルトベアラサービスをＵＥ１００１に提供するために、デフォルトベアラをｅＮＢ１００２、ＳＧＷ１００４、及びＰＧＷ１００８と確立する。ステップ１０１４で、ＭＭＥ１００３は、接続要請メッセージに従ってＵＥ１００１の位置をＨＳＳ１００５にアップデートする。この位置アップデートに成功する場合に、ステップ１０１５で、ＨＳＳ１００５は、ＵＥ１００１の位置アップデートの成功を示すアップデート位置ＡｃｋメッセージをＭＭＥ１００３に送信する。
【００９１】
ステップ１０１６で、ＭＭＥ１００３は、位置アップデート結果による他の情報（例えば、Ｓ−ＴＭＳＩ、ＴＡリスト、及びＰＤＮａｄｄｒ）とともにＧＡＮＣ変更指示子を含む接続応答メッセージをｅＮＢ１００２に送信する。
【００９２】
ステップ１０１７で、接続手順を完了するために、ｅＮＢ１００２は、ＧＡＮＣ変更指示子を含む無線ベアラ確立要請メッセージを接続要請メッセージに対する応答（Ａｃｋ）としてＵＥ１００１に送信する。
【００９３】
以下、本発明の第４の実施形態では、ＧＡＮＣのＩＰアドレスをＧＡＮＣ変更指示子の一例として説明する。
【００９４】
ステップ１０１８で、ＵＥ１００１は、無線ベアラ確立完了メッセージをｅＮＢ１００２に送信する。無線ベアラ確立要請メッセージがＭＭＥ１００３でアップデートした情報、例えば、新たなＳ−ＴＭＳＩを含まない場合に、ステップ１０１８を省略することができる。他方、 ステップ１０１８で、ＵＥ１００１は、無線ベアラ確立要請メッセージに含まれているＧＡＮＣのＩＰアドレスを後で新たなＧＡＮＣのＩＰアドレスと比較するために内部に記憶する。
【００９５】
ステップ１０１９で、ｅＮＢ１００２は、無線ベアラ確立完了メッセージに従って接続完了メッセージをＭＭＥ１００３に送信することにより、接続手順を完了する。
【００９６】
ステップ１０２０で、ＵＥ１００１は、無線ベアラを介してＩＰ網のＧＡＮＣ１００６にＩＰパケットを安全に送信するためのＩＰトンネルを確立する。このＩＰトンネルは、ＩＰＳｅｃ、ＳＳＬ、及びＴＬＳなどの方法を用いて生成されることができる。保安性が要求されない場合には、ステップ１０２０を省略することができる。ステップ１０２１で、ＵＥ１００１は、ステップ１０１８で取得したＧＡＮＣのＩＰアドレスに対応する新たなＧＡＮＣ１００６を介してＭＳＣ１００７に自身の位置を登録させるためにＩＰトンネルを介して位置アップデート要請メッセージを新たなＭＳＣ１００７に送信する。
【００９７】
ステップ１０２２で、ＭＳＣ１００７は、位置アップデート要請メッセージに従ってＵＥ１００１の位置をＨＳＳ１００５にアップデートする。この位置アップデートに成功する場合に、ステップ１０２３で、ＨＳＳ１００５は、アップデート位置ＡｃｋメッセージをＭＳＣ１００７に送信する。
【００９８】
このアップデート位置Ａｃｋメッセージを受信すると、ＭＳＣ１００７は、ステップ１０２４で、位置アップデート応答メッセージをＧＡＮＣ１００６を介してＵＥ１００１に送信する。
【００９９】
新たなＭＳＣ１００７に位置登録を完了した後に、既存のＧＡＮＣ１００８に接続されたＩＰトンネルが存在する場合に、ステップ１０２５で、ＵＥ１００１は、既存のＧＡＮＣ１００８からＩＰトンネルの接続を解除する。
【０１００】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１０１】
２０１      ＩＰ網
２０４、２０５、２０６      ｅＭＳＣ
２０７      ＰＧＷ
２０８、２０９、２１０      ＳＧＷ
２１１〜２１４      ＭＭＥ
２３１      ＵＥ
【図１】
2010536303.tif 000003
【図２】
2010536303.tif 000004
【図３】
2010536303.tif 000005
【図４】
2010536303.tif 000006
【図５】
2010536303.tif 000007
【図６】
2010536303.tif 000008
【図７】
2010536303.tif 000009
【図８】
2010536303.tif 000010
【図９】
2010536303.tif 000011
【図１０】
2010536303.tif 000012
【国際調査報告】
2010536303.tif 000013
2010536303.tif 000014